(57)【要約】【課題】堀取り部を備えてタマネギ等の鱗茎作物を堀出しつつ回収する作物収穫装置を提供する。【解決手段】作物収穫機は、圃場から作物を拾い上げて搬送する拾上げ搬送装置(２２)と、この拾上げ搬送装置(２２)に圃場面から作物を掻き込む掻込装置(５５)とを備えて構成され、前記拾上げ搬送装置(２２)の前側で作物を土中から掘り取る掘取り部材(７４)と、この掘取り部材(７４)を前後に揺動させる揺動装置(６５)とを設け、前記掘取り部材(７４)は、作物を掘り起こす掘起し板(７４ａ)と、作物を前記拾上げ搬送装置(２２)に案内する作物持上げ板(７４ｂ)とで構成し、この作物持上げ板(７４ｂ)は、前記掘起し板(７４ａ)よりも大きい傾斜角度で後上がりに配置することにより、作物の堀出しと回収とを共に可能とするものである。【選択図】図１
2017079669.tif 000002
【特許請求の範囲】
【請求項１】
圃場から作物を拾い上げて搬送する拾上げ搬送装置(２２)と、この拾上げ搬送装置(２２)に圃場面から作物を掻き込む掻込装置(５５)とを設けた作物収穫装置において、
前記拾上げ搬送装置(２２)の前側で作物を土中から掘り取る掘取り部材(７４)と、この掘取り部材(７４)を前後に揺動させる揺動装置(６５)とを設け、前記掘取り部材(７４)は、作物を掘り起こす掘起し板(７４ａ)と、作物を前記拾上げ搬送装置(２２)に案内する作物持上げ板(７４ｂ)とで構成し、この作物持上げ板(７４ｂ)は、前記掘起し板(７４ａ)よりも大きい傾斜角度で後上がりに配置することを特徴とする作物収穫装置。
【請求項２】
前記作物持上げ板(７４ｂ)の左右両側に作物を機体内側に案内する作物案内板(７４ｃ，７４ｃ)を設け、これら作物案内板(７４ｃ，７４ｃ)の前端部は、前記掘起し板(７４ａ)及び前記作物持上げ板(７４ｂ)の前端部よりも機体前側に延出することを特徴とする請求項１に記載の作物収穫装置。
【請求項３】
前記左右の作物案内板(７４ｃ，７４ｃ)は、機体外側に向かう上方傾斜姿勢で配置し、前記掘起し板(７４ａ)と前記作物持上げ板(７４ｂ)は、それぞれの前縁を直刃状に形成し、前記揺動装置(６５)は、前記作物持上げ板(７４ｂ)と前記左右の作物案内板(７４ｃ，７４ｃ)の前端部が、前記掘起し板(７４ａ)の前端部の前後に亘って往復移動することを特徴とする請求項２に記載の作物収穫装置。
【請求項４】
前記拾上げ搬送装置(２２)の後方に作物を回収する回収容器を載置する作物回収台(３９)と、前記拾上げ搬送装置(２２)の搬送端から前記作物回収台(３９)に作物を移動案内する引継シュータ(３７)と、前記拾上げ搬送装置(２２)の後方で且つ左右片側端部に配置の操縦部(１２)とを設け、この操縦部(１２)よりも機体内側に前記引継シュータ(３７)及び前記作物回収台(３９)を配置し、前記拾上げ搬送装置(２２)の片側に寄せてガイドするガイドカバー(３６)を設けて前記引継シュータ(３７)に搬送案内することを特徴とする請求項１から３のいずれか１項に記載の作物収穫装置。
【請求項５】
前記拾上げ搬送装置(２２)は、複数の搬送バー(２１)を所定間隔で周回配置したスラットコンベアによって構成し、各搬送バー(２１)に間隙切替板(２１ｂ)を軸支して隣接の搬送バー(２１)との間の間隙を開閉可能に構成するとともに、搬送行程に限って前記間隙切替板(２１ｂ)を閉鎖角度位置に回動制御するガイドプレート(２１ｃ)を前記複数の搬送バー(２１)の巻回域内に設けたことを特徴とする請求項１から４のいずれか１項に記載の作物収穫装置。
【請求項６】
前記拾上げ搬送装置(２２)の左右両側に拾上げ搬送カバー(２３，２３)を設け、これら両拾上げ搬送カバー(２３，２３)に前記ガイドプレート(２１ｃ，２１ｃ)を上下位置調節可能に支持したことを特徴とする請求項５に記載の作物収穫装置。
【請求項７】
前記間隙切替板(２１ｂ)の左右方向に亘って所定間隔毎に切欠部(２１ｄ)を形成したことを特徴とする請求項５または６に記載の作物収穫装置。
【請求項８】
前記左右の作物案内板(７４ｃ，７４ｃ)は、土砂が通過する通過空間部(７４ｅ)をそれぞれ形成するとともに、それぞれの傾斜角度を変更可能に軸支したことを特徴とする請求項２または３に記載の作物収穫装置。
【発明の詳細な説明】
【技術分野】
【０００１】
本発明は、堀取り部を備えてタマネギ等の鱗茎作物を収穫する作物収穫装置に関する。
【背景技術】
【０００２】
先行特許文献１に示す作物収穫装置は、圃場から作物を拾い上げて搬送する拾上げ搬送装置と、作物を拾上げ搬送装置に掻き込む掻込装置と、作物を回収する回収容器を載置する回収部を備えている。これにより、乾燥等のために圃場に掘り起こしていた作物の拾い上げ及び回収を能率的に行うことができる。
【先行技術文献】
【特許文献】
【０００３】
【特許文献１】特開２０１１−１８２６９４号公報
【発明の概要】
【発明が解決しようとする課題】
【０００４】
しかしながら、作物種別や作業体系によっては、作物を圃場から掘り起こすと同時に収穫することがあり、掘り起こしのために別の作業機を用意するか、あるいは手作業で作物を圃場から掘り起こす必要がある。
【０００５】
また、作物収穫装置は、複数の搬送バーを所定間隔毎に配置し、作物と共に拾い上げられる土砂等の夾雑物を下方に落下させるものであるが、作物のサイズが小さい場合、搬送バーの前後間から拾い上げた作物が落下することがあり、拾い上げ作業後に圃場に残された作物を手作業で回収しなければならず、作業者の労力が増大する問題がある。
【０００６】
さらに、拾上げ搬送装置と掻込装置は畝幅と略同じ左右幅を有しているが、作物を機体内側（機体中央部）に寄せる機構を備えていないので、畝の端の作物が転げ落ちると畝溝に移動してしまい、走行装置で作物を踏み潰してしまう問題や、畝溝に落下した作物を手作業で回収しなければならなくなる問題がある。
【０００７】
本発明は、堀取り部を備えてタマネギ等の鱗茎作物を堀出しつつ回収する作物収穫装置を提供することにある。
【課題を解決するための手段】
【０００８】
請求項１に係る発明は、圃場から作物を拾い上げて搬送する拾上げ搬送装置(２２)と、この拾上げ搬送装置(２２)に圃場から作物を掻き込む掻込装置(５５)とを設けた作物収穫装置において、前記拾上げ搬送装置(２２)の前側で作物を土中から掘り取る掘取り部材(７４)と、この掘取り部材(７４)を前後に揺動させる揺動装置(６５)とを設け、前記掘取り部材(７４)は、作物を掘り起こす掘起し板(７４ａ)と、作物を前記拾上げ搬送装置(２２)に案内する作物持上げ板(７４ｂ)とで構成し、この作物持上げ板(７４ｂ)は、前記掘起し板(７４ａ)よりも大きい傾斜角度で後上がりに配置することを特徴とする。
【０００９】
請求項２に係る発明は、請求項１に係る発明において、前記作物持上げ板(７４ｂ)の左右両側に作物を機体内側に案内する作物案内板(７４ｃ，７４ｃ)を設け、これら作物案内板(７４ｃ，７４ｃ)の前端部は、前記掘起し板(７４ａ)及び前記作物持上げ板(７４ｂ)の前端部よりも機体前側に延出することを特徴とする。
【００１０】
請求項３に係る発明は、請求項２に係る発明において、前記左右の作物案内板(７４ｃ，７４ｃ)は、機体外側に向かう上方傾斜姿勢で配置し、前記掘起し板(７４ａ)と前記作物持上げ板(７４ｂ)は、それぞれの前縁を直刃状に形成し、前記揺動装置(６５)は、前記作物持上げ板(７４ｂ)と前記左右の作物案内板(７４ｃ，７４ｃ)の前端部が、前記掘起し板(７４ａ)の前端部の前後に亘って往復移動することを特徴とする。
【００１１】
請求項４に係る発明は、請求項１から３のいずれか１項に係る発明において、前記拾上げ搬送装置(２２)の後方に作物を回収する回収容器を載置する作物回収台(３９)と、前記拾上げ搬送装置(２２)の搬送端から前記作物回収台(３９)に作物を移動案内する引継シュータ(３７)と、前記拾上げ搬送装置(２２)の後方で且つ左右片側端部に配置の操縦部(１２)とを設け、この操縦部(１２)よりも機体内側に前記引継シュータ(３７)及び前記作物回収台(３９)を配置し、前記拾上げ搬送装置(２２)の片側に寄せてガイドするガイドカバー(３６)を設けて前記引継シュータ(３７)に搬送案内することを特徴とする。
【００１２】
請求項５に係る発明は、請求項１から４のいずれか１項に係る発明において、前記拾上げ搬送装置(２２)は、複数の搬送バー(２１)を所定間隔で周回配置したスラットコンベアによって構成し、各搬送バー(２１)に間隙切替板(２１ｂ)を軸支して隣接の搬送バー(２１)との間の間隙を開閉可能に構成するとともに、搬送行程に限って前記間隙切替板(２１ｂ)を閉鎖角度位置に回動制御するガイドプレート(２１ｃ)を前記複数の搬送バー(２１)の巻回域内に設けたことを特徴とする。
【００１３】
請求項６に係る発明は、請求項５に係る発明において、前記拾上げ搬送装置(２２)の左右両側に拾上げ搬送カバー(２３，２３)を設け、これら両拾上げ搬送カバー(２３，２３)に前記ガイドプレート(２１ｃ，２１ｃ)を上下位置調節可能に支持したことを特徴とする。
【００１４】
請求項７に係る発明は、請求項５または６に係る発明において、前記間隙切替板(２１ｂ)の左右方向に亘って所定間隔毎に切欠部(２１ｄ)を形成したことを特徴とする。
【００１５】
請求項８に係る発明は、請求項２または３に係る発明において、前記左右の作物案内板(７４ｃ，７４ｃ)は、土砂が通過する通過空間部(７４ｅ)をそれぞれ形成するとともに、それぞれの傾斜角度を変更可能に軸支したことを特徴とする。
【発明の効果】
【００１６】
請求項１に係る発明により、掘取り部材(７４)を掘起し板(７４ａ)と作物持上げ板(７４ｂ)とで構成したことにより、揺動装置(６５)による掘取り部材(７４)の前後揺動量を大きくすることができるので、作物の周囲の土砂が崩れずに土中に作物が残されることが防止される。
また、後上がり姿勢の作物持上げ板(７４ｂ)を掘起し板(７４ａ)よりも大きい傾斜に配置することにより、作物持上げ板(７４ｂ)で作物を持ち上げて拾上げ搬送装置(２２)に確実に搬送することができるので、掘り起こされた作物が拾上げ搬送装置(２２)まで移動せずに圃場に落下することが防止される。
【００１７】
請求項２に係る発明により、請求項１に係る発明の効果に加え、左右の作物案内板(７４ｃ，７４ｃ)の前端部が作物持上げ板(７４ｂ)及び掘起し板(７４ａ)の前端部よりも機体前側に延出することにより、畝端の作物を掘り起こしながら機体内側に寄せることができるので、掘り起こされた作物が機体内側に寄らず畝溝に落下することが防止され、拾上げ搬送装置(２２)に作物を確実に誘導できる。
【００１８】
請求項３に係る発明により、請求項２に係る発明の効果に加え、前記左右の作物案内板(７４ｃ，７４ｃ)の姿勢を、機体外側に向かう上方傾斜に配置したことにより、掘り取られた作物を機体内側に確実に寄せることができるので、掘り起こした作物が畝溝に落下することが防止され、畝溝に落下した作物の回収作業が不要になる。
また、作物持上げ板(７４ｂ)と左右の作物案内板(７４ｃ，７４ｃ)の前端部が、掘起し板(７４ａ)の前端部の前後位置に亘って往復移動することにより、作物持上げ板(７４ｂ)で掘り起こされた作物を拾上げ搬送装置(２２)に移動させることができるので、作物持上げ板(７４ｂ)と拾上げ搬送装置(２２)の間で作物が停滞することが防止され、作業能率が向上する。
【００１９】
請求項４に係る発明により、請求項１から３のいずれか１項に係る発明の効果に加え、前記拾上げ搬送装置(２２)の左右片側端部に操縦部(１２)を設けると共に、この操縦部(１２)よりも作物回収台(３９)を機体内側に配置することにより、操縦部(１２)の周囲に作業者が移動するスペースを確保することができるので、操作性が向上する。
また、拾上げ搬送装置(２２)にガイドカバー(３６)を設けて引継シュータ(３７)に搬送案内することにより、作物を機体内側に寄せながら搬送することができるので、引継シュータ(３７)の左右幅が短くなり、機体のコンパクト化が図られる。
【００２０】
請求項５に係る発明により、請求項１から４のいずれか１項に係る発明の効果に加え、拾上げ搬送装置(２２)の搬送行程では間隙切替板(２１ｂ)がガイドプレート(２１ｃ)によって隣接の搬送バー(２１)との間を閉じることにより、小径の作物が搬送バー(２１)の前後間隔部から落下することを防止できるので、様々な品種やサイズの異なる作物の掘取作業に対応することができる。
また、戻り行程では間隙切替板(２１ｂ)が開放されることにより、拾上げ搬送装置(２２)の内部に入り込んだ土砂等の夾雑物を落下させることができるので、拾上げ搬送装置(２２)の内部に入り込んだ夾雑物の除去作業に要する労力が軽減される。
【００２１】
請求項６に係る発明により、請求項５に係る発明の効果に加え、ガイドプレート(２１ｃ)の上下位置調節により、作物の平均的なサイズや品種に合わせて間隙切替板(２１ｂ)の回動量を変更し、間隙切替板(２１ｂ)が搬送バー(２１)の前後間隔部を塞ぐ量を変更することができるので、搬送作用域でも土砂等の夾雑物を除去することができ、収穫後の作物から夾雑物を除去する作業に要する労力の軽減が図られる。
また、ガイドプレート(２１ｃ，２１ｃ)を左右の拾上げ搬送カバー(２３，２３)に支持することにより、作物が搬送される部分の搬送バー(２１)の前後間隔部をガイドプレート(２１ｃ)が塞ぐことがないので、夾雑物が拾上げ搬送装置(２２)に残りにくくなり、除去作業に要する労力が軽減される。
【００２２】
請求項７に係る発明により、請求項５または６に係る発明の効果に加え、間隙切替板(２１ｂ)の左右方向に所定間隔で複数の切欠部(２１ｄ)を形成したことにより、間隙切替板(２１ｂ)が搬送バー(２１)の前後間隔部を完全に塞いでいても、複数の切欠部(２１ｄ)から細かい夾雑物を除去することができるので、収穫後の作物から夾雑物を除去する作業に要する労力の軽減が図られる。
また、回収容器に夾雑物が入り込むことを防止できるので、回収容器の容量一杯に作物を回収することができ、回収容器の交換頻度の低減が図られる。
【００２３】
請求項８に係る発明により、請求項２または３に係る発明の効果に加え、左右の作物案内部材(７４ｃ，７４ｃ)に通過空間部(７４ｅ)をそれぞれ形成したことにより、作物に付着していた土砂を拾上げ搬送装置(２２)に移動させる前に除去することができるので、拾上げ搬送装置(２２)に引き継がれる土砂の量が減少し、機体に付着した土砂の除去作業に要する労力が軽減される。
また、左右の作物案内板(７４ｃ，７４ｃ)の傾斜角度を変更可能に軸支したことにより、土質や作物のサイズが異なる圃場でも作物を機体内側に案内することができるので、掘り起こされた作物が機体内側に寄らず畝溝に落下することが防止され、拾上げ搬送装置(２２)に作物を確実に誘導できる。
【図面の簡単な説明】
【００２４】
【図１】作物収穫装置の平面図（ａ）および要部側面図（ｂ）
【図２】堀取り部材周りの拡大側面図
【図３】堀取り部材周りの拡大正面図
【図４】堀取り部材周りの拡大平面図
【図５】別構成の堀取り部材周りの拡大側面図
【図６】別構成の堀取り部材周りの拡大正面図
【図７】別構成の堀取り部材周りの拡大平面図
【発明を実施するための形態】
【００２５】
上記技術思想に基づいて具体的に構成された実施の形態について以下に図面を参照しつつ説明する。なお、説明においては、作物収穫装置の前進方向に向って前後、左右という。
【００２６】
本発明に係る作物収穫装置１は、その平面図（ａ）および要部側面図（ｂ）を図１に示すように、後ろ上がりに傾斜する拾上げ搬送装置２２と、その先端上方配置の掻込装置５５とを不図示の機体フレームに支持するとともに、左右のクローラ９Ｌ，９Ｒによって圃場走行可能に支持し、また、機体の片側方（図示例は右側方）に容器載置台４２を張出して空の回収容器３８…を載置し、作物回収台３９を機体後部に配置するとともに、容器載置台４２の反対側に操縦部１２を配置して構成される。
【００２７】
上記構成の作物収穫装置１は、畝を跨いで機体が前進することにより、掻込装置５５と合わせて拾上げ搬送装置２２がタマネギ等の作物を堀取り搬送し、容器載置台４２から作物回収台３９に空の回収容器３８が自動装填されて収穫作物が収容され、作物回収台３９の回収端３９ａから回収容器３８を圃場に降ろすことにより、収穫作物の回収が可能となる。
【００２８】
（掘取部）
拾上げ搬送装置２２の前側には、掘取り部材周りの拡大側面図、拡大正面図、および拡大平面図を順に図２から図４に示すように、作物を土中から掘り取る掘取り部材７４と、この掘取り部材７４を前後に揺動させて地面に前後振動を伝える揺動装置６５とを設ける。
【００２９】
掘取り部材７４は、圃場の浅い位置の作物を掘り起こす掘起し板７４ａと、その上側で作物を拾上げ搬送装置２２に案内する作物持上げ板７４ｂとによる２重構造とし、この作物持上げ板７４ｂは、掘起し板７４ａよりも大きい傾斜角度で後上がりに配置する。また、揺動装置６５は、拾上げ搬送装置２２の巻回軸と連結するクランク機構によって構成する。
【００３０】
このように、掘取り部材７４を掘起し板７４ａと作物持上げ板７４ｂとで構成したことにより、揺動装置６５による掘取り部材７４の前後揺動量を大きくすることができるので、作物の周囲の土砂が崩れずに土中に作物が残されることが防止される。
【００３１】
また、後上がり姿勢の作物持上げ板７４ｂを掘起し板７４ａよりも大きい傾斜に配置することにより、作物持上げ板７４ｂで作物を持ち上げて拾上げ搬送装置２２に確実に搬送することができるので、掘り起こされた作物が拾上げ搬送装置２２まで移動せずに圃場に落下することが防止される。また、側面視で上下に角度差があり、上側の作物持上げ板７４ｂの方が急傾斜であることから、収穫作物を速やかに搬送部に案内することができる。
【００３２】
作物持上げ板７４ｂの左右両側部には、作物を機体内側に案内する作物案内部材である作物案内板７４ｃ，７４ｃを設け、この作物案内板７４ｃ，７４ｃの前端部は、掘起し板７４ａ及び作物持上げ板７４ｂの前端部よりも機体前側に突出する。
【００３３】
例えば、左右の作物案内板７４ｃ，７４ｃの前端部を中央より株間の1/2前に出すことにより、収穫幅の左右端部が先に上動するので、中央に寄せる案内力が作用する。
【００３４】
このように、左右の作物案内板７４ｃ，７４ｃの前端部が作物持上げ板７４ｂ及び掘起し板７４ａの前端部よりも機体前側に延出することにより、畝端の作物を掘り起こしながら機体内側に寄せることができるので、掘り起こされた作物が機体内側に寄らず畝溝に落下することが防止され、拾上げ搬送装置２２に作物を確実に誘導できる。
【００３５】
左右の作物案内板７４ｃ，７４ｃは、機体外側に向かう上方傾斜姿勢で配置し、掘起し板７４ａと作物持上げ板７４ｂの前縁を直刃状に形成し、揺動装置６５は、作物持上げ板７４ｂと左右の作物案内板７４ｃ，７４ｃの前端部が、掘起し板７４ａの前端部の前後に亘って往復移動するように駆動する。
【００３６】
このように、左右の作物案内板７４ｃ，７４ｃの両側を高く傾斜することにより、掘り取られた作物を機体内側に確実に寄せることができるので、掘り起こした作物が畝溝に落下することが防止され、畝溝に落下した作物の回収作業が不要になる。
【００３７】
また、作物持上げ板７４ｂと左右の作物案内板７４ｃ，７４ｃの前端部が、掘起し板７４ａの前端部の前後位置に亘って往復移動することにより、作物持上げ板７４ｂで掘り起こされた作物を拾上げ搬送装置２２に移動させることができるので、作物持上げ板７４ｂと拾上げ搬送装置２２の間で作物が停滞することが防止され、作業能率が向上する。
【００３８】
（収容部）
拾上げ搬送装置２２には、ガイドカバー３６を設けて収穫幅内に配置の操縦部１２を避けて搬送線を側方に寄せるように傾斜ガイドし、その搬送終端から、作物回収台３９上の所定の受け位置まで案内する引継シュータ３７を設けることにより、所定位置に自動装填される回収容器３８に収穫作物が収容される。
【００３９】
収穫作業走行において操縦部１２を操作する作業者は、収容済の回収容器３８を作物回収台３９の回収端３９ａに移動して圃場に降ろすことができ、このとき、次の回収容器３８が自動装填されて搬送作物を収容することができる。
【００４０】
このように、拾上げ搬送装置２２の左右片側端部に操縦部１２を設けると共に、この操縦部１２よりも作物回収台３９を機体内側に配置することにより、操縦部１２の周囲に作業者が移動するスペースを確保することができるので、操作性が向上する。
【００４１】
また、拾上げ搬送装置２２にガイドカバー３６を設けて引継シュータ３７に搬送案内することにより、作物を機体内側に寄せながら搬送することができるので、引継シュータ３７の左右幅が短くなり、機体のコンパクト化が図られる。
【００４２】
（搬送部）
拾上げ搬送装置２２は、左右の無端チェーン２２ａ，２２ａ間に複数の搬送バー２１…を周回配置したスラットコンベアによって構成し、各搬送バー２１に間隙切替板２１ｂを軸支して隣接の搬送バー２１との隙間（略５０ｍｍ）を開閉可能に構成するとともに、搬送作用域に限って前記間隙切替板２１ｂを閉鎖角度位置に回動制御するガイドプレート２１ｃを複数の搬送バー２１の巻回域内に設ける。
【００４３】
このようにガイドプレート２１ｃによって間隙切替板２１ｂを開閉制御することにより、搬送作用行程では間隙切替板２１ｂが隣接の搬送バー２１との間を閉じるので、小径の作物が搬送バー２１の前後間隔部から落下することを防止できる。したがって、様々な品種やサイズの異なる作物の掘取作業に対応することができる。
【００４４】
また、間隙切替板２１ｂが開放される帰還行程では、拾上げ搬送装置２２の内部に入り込んだ土砂等の夾雑物を落下させることができるので、拾上げ搬送装置２２の内部に入り込んだ夾雑物の除去作業に要する労力が軽減される。
【００４５】
また、拾上げ搬送装置２２の左右両側に拾上げ搬送カバー２３，２３を設け、これら両拾上げ搬送カバー２３，２３に前記ガイドプレート２１ｃ，２１ｃを上下位置調節可能に支持する。
【００４６】
このように、ガイドプレート２１ｃを上下位置調節可能に装着することにより、作物の平均的なサイズや品種に合わせて間隙切替板２１ｂの回動量を変更し、間隙切替板２１ｂが搬送バー２１の前後間隔部を塞ぐ量を変更することができるので、搬送作用域でも土砂等の夾雑物を除去することができ、収穫後の作物から夾雑物を除去する作業に要する労力の軽減が図られる。
【００４７】
また、拾上げ搬送カバー２３にガイドプレート２１ｃを設けることにより、作物が通過する部分の搬送バー２１の前後間隔部をガイドプレート２１ｃが塞ぐことがないので、夾雑物が拾上げ搬送装置２２に残りにくくなり、除去作業に要する労力が軽減される。
【００４８】
また、間隙切替板２１ｂには、左右方向に亘って所定間隔毎に切欠部２１ｄを形成することにより、間隙切替板２１ｂが搬送バー２１の前後間隔部を完全に塞いでいても、この切欠部２１ｄから細かい夾雑物を除去することができるので、収穫後の作物から夾雑物を除去する作業に要する労力の軽減が図られ、また、回収容器に夾雑物が入り込むことを防止できるので、回収容器の容量一杯に作物を回収することができ、回収容器の交換頻度の低減が図られる。
【００４９】
（別構成例）
次に、掘取り部材の別の構成例７４αについて、拾上げ搬送装置２２の前部の拡大側面図、拡大正面図、および拡大平面図を順に図５から図７に示すように、左右の作物案内板７４ｃ，７４ｃには、土砂が通過可能な櫛歯状またはスリット状の通過空間部７４ｅを形成するとともに、左右の作物案内板７４ｃ，７４ｃの内側部に支軸７４ｄ，７４ｄを設けて傾斜可能に軸支し、高さ調節可能に左右のころ７４ｅ，７４ｅを設けて傾斜調節可能に支持する。
【００５０】
このように、左右の作物案内板７４ｃ，７４ｃに左右方向の複数のスリット状または外側を開放した櫛歯状の通過空間部７４ｅを形成することにより、拾上げ搬送装置２２に移動させる前に作物に付着していた土砂を除去することができるので、拾上げ搬送装置２２に引き継がれる土砂の量が減少し、機体に付着した土砂の除去作業に要する労力が軽減される。
【００５１】
また、左右の作物案内板７４ｃ，７４ｃの傾斜角度を変更可能としたことにより、土質や作物のサイズが異なる圃場でも作物を機体内側に案内することができるので、掘り起こされた作物が機体内側に寄らず畝溝に落下することが防止され、拾上げ搬送装置２２に作物を確実に誘導できる。また、一方の傾斜を大きくすることにより、搬送中心位置を他方側に寄せることができる。
【００５２】
左右の作物案内板７４ｃ，７４ｃは、後退角をつけた櫛歯状に形成することにより、外側が後退する通過空間部によって作物をスムーズに搬送部に送ることができ、さらに、左右の作物案内板７４ｃ，７４ｃを側面視で後ろ上がりに傾斜することで、後方位置ほど作物を押上げて土と分離することができる。
【００５３】
櫛歯状に形成した左右の作物案内板７４ｃ，７４ｃを振動ブレードに装着し、揺動カムの側面の凹凸に沿って振動ブレードを上下動作可能に構成することにより、一体に前後動作して上下にはばたくことで作物を中央に寄せることができ、振動ブレードの先端を正面視でＶ字状に形成することでも、同様に中央寄せが可能となり、後端を水平形状とすることで、作物をスムーズに搬送部に引継ぐことができる。
【符号の説明】
【００５４】
１      作物収穫装置
１２    操縦部
２１    搬送バー
２１ｂ  間隙切替板
２１ｃ  ガイドプレート
２１ｄ  切欠部
２２    拾上げ搬送装置
２３    搬送カバー
３６    ガイドカバー
３７    引継シュータ
３９    作物回収台
５５    掻込装置
６５    揺動装置
７４    掘取り部材
７４ａ  掘起し板（掘取り部材）
７４ｂ  作物持上げ板（掘取り部材）
７４ｃ  作物案内板
７４ｅ  通過空間部
【図１】
2017079669.tif 000003
【図２】
2017079669.tif 000004
【図３】
2017079669.tif 000005
【図４】
2017079669.tif 000006
【図５】
2017079669.tif 000007
【図６】
2017079669.tif 000008
【図７】
2017079669.tif 000009